(57)【要約】【課題】  本発明は、発光指針を照明する光源からの漏れ光によって表示板を照らし出してしまうことを防ぐことのできる指示計器を提供すること。【解決手段】  指針軸２を有する計器本体３と、透光性の指針４と、指針軸２が挿通される挿通孔部５４を有する表示板５と、指針本体４１を光輝させる光源６と、表示板５の前面側に位置し指針４の回動中心部領域を覆うように配置された表示ユニット９と、計器本体３および表示ユニット９が組み付け保持されるケース体８と、を備えてなる指示計器において、表示板５の挿通孔部５４周縁箇所に略平板形状からなる調光部材１３を配置し、その調光部材１３には、指針４側へと導かれた照明光が表示ユニット９の周縁端部から漏れないように導き案内するための光矯正反射部１３４を設けてなることを特徴とする指示計器。【選択図】  図３
2010164520.tif 000002
【特許請求の範囲】
【請求項１】
指針軸を有する計器本体と、前記指針軸に取り付けられ回動中心領域に受光部を有する透光性の指針本体と前記回動中心領域を覆う遮蔽部材とが設けられた指針と、この指針の背後に所定距離を隔てて配置され前記指針の指示に対応する箇所に指標部が形成されるとともに前記指針軸が挿通される挿通孔部を有する表示板と、この表示板の背後に配置され前記表示板の挿通孔部を通じて前記受光部に照明光を供給することにより前記指針本体を光輝させる光源と、前記表示板の前面側に位置し前記指針の回動中心部領域である前記遮蔽部材を覆うように配置された表示ユニットと、前記計器本体および前記表示ユニットが組み付け保持されるケース体と、を備えてなる指示計器において、前記表示板の前記挿通孔部周縁箇所に略平板形状からなる調光部材を配置するとともに、前記調光部材の前記指針との対向面には、前記挿通孔部から前記指針側へと導かれた照明光が前記表示体の周縁端部から漏れないように導き案内するための光矯正反射部を設けてなることを特徴とする指示計器。
【請求項２】
前記調光部材に設けられた前記光矯正反射部は、前記指針軸を基点として同心円状の反射面によって形成してなることを特徴とする請求項１に記載の指示計器。
【請求項３】
前記調光部材に設けられた前記光矯正反射部と対向する前記指針の回動中心領域に、他の光矯正反射部を設けてなることを特徴とする請求項１または請求項２に記載の指示計器。
【請求項４】
前記指針に設けられた他の光矯正反射部は、前記指針軸を基点として同心円状の反射面によって形成してなることを特徴とする請求項３に記載の指示計器。
【請求項５】
前記調光部材の前記指針との対向面には、前記指針の回動中心領域を覆う前記遮蔽部材の内側に位置してリング状壁部を一体に突設してなることを特徴とする請求項１から請求項４のいずれかに記載の指示計器。
【発明の詳細な説明】
【技術分野】
【０００１】
本発明は、本発明は、例えば自動車、オートバイ、船舶をはじめとする移動体に搭載される指示計器に関し、特に指針の回転軌道内に各種情報を表示する表示ユニットを備えるタイプの指示計器に関する。
【背景技術】
【０００２】
この種の指示計器としては、例えば下記特許文献１に記載されているものが知られている。この指示計器は、指針の先端側を露出させ回転基部側を遮蔽するように表示板及び指針の前面側に配置される表示ユニットを備えている。この表示ユニットは、外縁形状が正面視円形となるケース部材と、このケース部材に収納される正面視円形の表示パネルとからなり、ケース部材には正面視円形の窓部が形成され、この窓部を通じて表示パネルに表示される各種情報を視認できるように構成されている。このように指示計器の中央部分に表示ユニットが配置され、その外周部分に指針の指示によるアナログ式計器が配置されているため、通常の指示計器と各種情報を表示する表示ユニットの表示情報を集中して読み取ることができるものであり、判読しやすい指示計器を提供することができるという効果がある。
【先行技術文献】
【特許文献】
【０００３】
【特許文献１】特開２００２−３９８０７号公報
【発明の概要】
【発明が解決しようとする課題】
【０００４】
ところで、上記特許文献１などにおいては、夜間などにおいてアナログ式計器である指針の照明を行うために透光性の指針を用いて光源である発光ダイオードからの照明光を指針の基部側へと導き入れて指針の指示部を発光照明するようにしている。しかしながら、指針の指示部は明るく照らしだされるため問題はないものの、光源である発光ダイオードからの照明光の一部が表示ユニットの背面側などを介して表示板の表面上において表示ユニットの周縁部分が薄ぼんやりと洩れ出た光線によって部分的に照らし出されてしまい、指針照明箇所と表示板上との明暗によるコントラストがはっきりしないという問題があり、見かけ上において良好とは言えないものとなり、指示計器の照明効果の点において問題がある。
【０００５】
本発明は前述した問題点に着目し、発光指針を照明する光源からの漏れ光によって表示板をぼんやりと照らし出してしまうことを未然に防ぐことのできる指示計器を提供することを目的とするものである。
【課題を解決するための手段】
【０００６】
本発明は、前記目的を達成するため、指針軸を有する計器本体と、前記指針軸に取り付けられ回動中心領域に受光部を有する透光性の指針本体と前記回動中心領域を覆う遮蔽部材とが設けられた指針と、この指針の背後に所定距離を隔てて配置され前記指針の指示に対応する箇所に指標部が形成されるとともに前記指針軸が挿通される挿通孔部を有する表示板と、この表示板の背後に配置され前記表示板の挿通孔部を通じて前記受光部に照明光を供給することにより前記指針本体を光輝させる光源と、前記表示板の前面側に位置し前記指針の回動中心部領域である前記遮蔽部材を覆うように配置された表示ユニットと、前記計器本体および前記表示ユニットが組み付け保持されるケース体と、を備えてなる指示計器において、前記表示板の前記挿通孔部周縁箇所に略平板形状からなる調光部材を配置するとともに、前記調光部材の前記指針との対向面には、前記挿通孔部から前記指針側へと導かれた照明光が前記表示体の周縁端部から漏れないように導き案内するための光矯正反射部を設けてなることを特徴とする指示計器である。
【０００７】
このように構成することにより、指針を照明するための光源からの照明光が表示板の挿通孔部を介して表示板表面上へと導かれ、指針の受光部を介して指針の指示部となる指針本体へと導光案内され、指針本体が光輝する。これと同時に、指針の回動中心領域に導かれた照明光の一部が反射して表示板の挿通孔部の周縁箇所である表示板の表面上に照射したとしても挿通孔部の周縁に配置された略平板形状からなる調光部材の表面に設けた光矯正反射部によって表示ユニットの外周から洩れ出ることなく表示ユニットの背面部分に向けて照明光を矯正案内することができ、これにより視線方向への反射光を未然に防ぐことができるため、指針を明るく照明することができるとともに、指針回りの表示板上が薄明るく光ってしまうという問題を未然に解決することができる。
【０００８】
また請求項１に記載の指示計器において、請求項２では、前記調光部材に設けられた前記光矯正反射部は、前記指針軸を基点として同心円状の反射面によって形成してなることを特徴とするものである。
【０００９】
このように構成することにより、指針の回動中心領域に導かれた照明光の一部が反射して表示板の挿通孔部の周縁箇所である表示板の表面上に照射したとしても挿通孔部の周縁に配置された略平板形状からなる調光部材の表面に設けられた光矯正反射部としての同心円状の反射面によって指針の外側方向（表示板の外周方向）へと広がることなく指針の真上方向へと矯正して反射導光することによって表示ユニットの外周から洩れ出ることなく表示ユニットの背面部分に向けて照明光を矯正案内することができ、これにより視線方向への反射光を未然に防ぐことができ、指針を明るく照明することができるとともに、指針回りの表示板上が薄明るく光ってしまうという問題を未然に解決することができる。
【００１０】
また請求項１または請求項２に記載の指示計器において、請求項３では、前記調光部材に設けられた前記光矯正反射部と対向する前記指針の回動中心領域に、他の光矯正反射部を設けてなることを特徴とするものである。
【００１１】
このように構成することにより、光源からの照明光は、指針の受光部を介して指針の指示部となる指針本体へと導光案内され、指針本体が光輝する。これと同時に、指針の回動中心領域に導かれた照明光の一部が他の光矯正反射部を介して反射して表示板の挿通孔部の周縁箇所である表示板の表面上に照射されるため、挿通孔部の周縁に配置された略平板形状からなる調光部材によって表示ユニットの外周から洩れ出ることなく表示ユニットの背面部分に向けて照明光を矯正案内することができ、これにより視線方向への反射光を未然に防ぐことができる。
【００１２】
また請求項３に記載の指示計器において、請求項４では、前記指針に設けられた他の光矯正反射部は、前記指針軸を基点として同心円状の反射面によって形成してなることを特徴とするものである。
【００１３】
このように構成することにより、指針の受光部を介して指針の指示部となる指針本体へと導光案内され、指針本体が光輝する。これと同時に、指針の回動中心領域に導かれた照明光の一部が調光部材と対向する指針の回動中心領域の表面に設けられた同心円状の反射面によって表示板の外周方向へと広がることなく調光部材側へと導くことができるため、表示ユニットの背面部分に向けて照明光を矯正案内することができ、これにより視線方向への反射光を未然に防ぐことができる。
【００１４】
また請求項１から請求項４のいずれかに記載の指示計器において、請求項５では、前記調光部材の前記指針との対向面には、前記指針の回動中心領域を覆う前記遮蔽部材の内側に位置してリング状壁部を一体に突設してなることを特徴とするものである。
【００１５】
このように構成することにより、指針の回動中心領域に導かれた照明光の一部が表示板の外周方向へと照明光が回折しようとしてもリング状壁部によってその一部が遮断され表示板の挿通孔部の周縁箇所である表示板の表面上に照射することを抑制することができるものであり、これにより視線方向への反射光を未然に抑えることができる。
【発明の効果】
【００１６】
本発明では、指針軸を有する計器本体と、前記指針軸に取り付けられ回動中心領域に受光部を有する透光性の指針本体と前記回動中心領域を覆う遮蔽部材とが設けられた指針と、この指針の背後に所定距離を隔てて配置され前記指針の指示に対応する箇所に指標部が形成されるとともに前記指針軸が挿通される挿通孔部を有する表示板と、この表示板の背後に配置され前記表示板の挿通孔部を通じて前記受光部に照明光を供給することにより前記指針本体を光輝させる光源と、前記表示板の前面側に位置し前記指針の前面側に配置され前記指針の回動中心部領域である前記遮蔽部材を覆うように配置された表示ユニットと、前記計器本体および前記表示ユニットが組み付け保持されるケース体と、を備えてなる指示計器において、前記表示板の前記貫通孔部周縁箇所に略平板形状からなる調光部材を配置するとともに、前記調光部材の前記指針との対向面には、前記挿通孔部から前記指針側へと導かれた照明光が前記表示ユニットの周縁端部から漏れないように導き案内するための光矯正反射部を設けてなることを特徴とする指示計器であるため、指針を照明するための光源からの照明光が表示板の挿通孔部を介して表示板の表面上へと導かれ、指針の光導入部を介して指針の指示部となる指針本体へと導光案内され、指針本体が光輝する。これと同時に、指針の回動中心領域に導かれた照明光の一部が反射して表示板の挿通孔部の周縁箇所である表示板の表面上に照射したとしても挿通孔部の周縁に配置された略平板形状からなる調光部材の表面に設けた光矯正反射部によって表示ユニットの外周から洩れ出ることなく表示ユニットの背面部分に向けて照明光を矯正案内することができ、これにより視線方向への反射光を未然に防ぐことができるため、指針を明るく照明することができるとともに、指針回りの表示板上が薄明るく光ってしまうという問題を未然に解決することができる。
【図面の簡単な説明】
【００１７】
【図１】図１は、本発明の第１の実施形態である指示計器を示す正面図。
【図２】図２は、図１の要部箇所を示す指示計器の断面図。
【図３】図３は、図２の要部を示す拡大断面図。
【図４】図４は、本発明の第２の実施形態である指示計器の要部を示す拡大断面図。
【発明を実施するための形態】
【００１８】
図１から図３は本発明の第１の実施形態を示すもので、以下、これらに基づいて本発明の実施形態をたとえば自動車に搭載される指示計器に適用した場合について説明する。
【００１９】
図１から図３において、本実施形態による指示計器は、回路基板１と、この回路基板１の配線パターンに導通装着され指針軸２が前方に延びる計器本体３と、指針軸２にて回転駆動される発光式の指針４と、この指針４の背後に配置される表示板５と、指針４を照明する指針用光源６と、表示板５に設けられた後述する目盛や文字，数字，記号などの指標部を透過照明する表示用光源７と、回路基板１と表示板５との間に配置されるケース体８と、回路基板１に導通状態にて組み付けられ指針４の前方に配置される実像表示による表示ユニット９とから構成される。
【００２０】
回路基板１は、たとえばガラスエポキシ系基材に配線パターン（図示せず）を施した硬質回路基板からなり、指針用光源６と、表示ユニット９の後述する接続部材に接続され表示ユニット９の後述する液晶による表示素子や光源に電力を供給するためのコネクタ１ａと、たとえば計器本体３の駆動・制御を行う駆動手段（図示せず）や抵抗、コンデンサ等の各種回路部品（図示せず）が前記配線パターンに導通接続されている。
【００２１】
計器本体３は、可動磁石式計器またはステッピングモータからなり、指針軸２が回路基板１を貫通するように、その主要部が回路基板１の背後に装着され、且つ半田付け等の適宜導通手段により前記配線パターン（前記駆動手段）に電気接続される。
【００２２】
指針４は、透光性合成樹脂からなり、後述する表示板５に設けられた指標部に対応して指示する指示部を有する指針本体４１と、この指針本体４１と一体的に形成され回転軸２に組み付け固定される回転中心部となる指針基部４２と、この指針基部４２の外周を覆う遮光性合成樹脂からなる遮蔽部材４３（カバー部材）とを備えている。
【００２３】
また指針４の指針本体４１は、線状に延びその先端側が表示ユニット９の後述する枠体から先端側が露出するように設けられており、この指針本体４１の回転中心部側に位置する指針基部４２の底面側には、背後に配置された指針用光源６から発せられる照明光を受光する受光部４４が設けられるとともに、その受光部４４を介して導光された照明光を指針本体４１の指示部先端側に反射導光する反射面部４５が形成されている。
【００２４】
表示板５は、指針４の回転軌道に沿った円弧状の配列形状を有し指針４の指示対象となる目盛，数字，文字などからなる指標部５１と、この指標部５１の背景を形成する背景部５２とを有している。これら指標部５１、背景部５２は透光性合成樹脂からなる薄板状の基材５３の前面に形成された印刷層からなる。
【００２５】
この場合、指標部５１は白色系の透過性インクにより形成され、背景部５２は黒色系の遮光性インクにより形成され、指標部５１は表示用光源７が点灯するとケース体８を通じて白色に透過照明される。
【００２６】
また表示板５には、計器本体３の指針軸２が挿通される挿通孔部５４が形成されている。
【００２７】
指針用光源６は、たとえば赤色光を発するチップ型発光ダイオードからなり、指針４の回転中心近傍に複数個配置され、表示板５の挿通孔部５４を介して指針４の受光部４４を通じて指針４の反射面部４５を介して指示部材４１を赤色に発光させる発光体である。
【００２８】
表示用光源７は、たとえば白色光を発するチップ型発光ダイオードからなり、ケース体８内に配置され、指標部５１を白色に発光させる発光体である。
【００２９】
ケース体８は、たとえば白色系の合成樹脂からなり、表示板５を保持する保持部材としての機能、指針用光源６、表示用光源７を収納するハウジングとしての機能、指針用光源６、表示用光源７の光を前方側に反射する反射部材としての機能、計器本体３が組み付けられた回路基板１や表示ユニット９を保持する保持部材としての機能を有している。この場合、ケース体８には指針４を照明表示するするための発光ダイオードからなる指針用光源６と表示板５の指標部５１などを透過照明するための発光ダイオードからなる表示用光源７との照明領域を区画する円筒形の仕切り壁８１が設けられている。
【００３０】
表示ユニット９は回路基板１の前方側に配置され、その一部が指針４の遮蔽部材４３を含んで指針４の指針本体４１の一部である末端側を覆っている。この表示ユニット９は液晶表示素子などからなる表示素子などの内機部品１０と、この内機部品１０を収納する枠体１１とを備えている。
【００３１】
内機部品１０は枠体１１の後述する開口部に臨む表示素子１０１と、この表示素子１０１をバックライト照明する光源１０２と、この光源１０２から表示素子１０１に至る照明経路中に配置される導光体１０３と、表示素子１０１に駆動用電力を供給するとともに光源１０２に点灯用電力を供給する素子用基板１０４とを有している。
【００３２】
表示素子１０１はたとえば透過型の液晶表示素子からなり、図示しない各種センサ等の検出信号（電気信号）に基づいて、車両の走行距離や燃料消費、外気温、時刻等の情報を複数の表示セグメント１０１ａにより情報表示するものである。
【００３３】
光源１０２はたとえば青色光を発するチップ型発光ダイオードからなり、素子用基板１０４に搭載され導光体１０３内に光供給する発光体である。
【００３４】
導光体１０３は透光性合成樹脂からなり、表示素子１０１の背面に沿って配置され、その一側面が光源１０２と対向する板状部材に成形されている。なお、導光体１０３の背面は光源１０２から離間するに従って表示素子１０１側に傾斜するように肉薄となる傾斜部が成形され、この傾斜部によって光源１０２の光を表示素子１０１にバランスよく供給するための反射面として機能するように構成している。
【００３５】
素子用基板１０４は硬質の回路基板からなり、回路基板１と表示素子１０１との間に配置され表示素子１０１の板面方向（回路基板１の板面方向）と直交する方向に板状に延びている。また、素子用基板１０４は光源１０２と、抵抗、コンデンサなどの各種回路部品（図示せず）が前記配線パターンに導通接続されている。
【００３６】
また、１０５は表示素子１０１と素子用基板１０４とを電気的に接続するためのフレキシブルプリント基板であり、このフレキシブルプリント基板１０６は素子用基板１０４側に設けたコネクタ１０４ａを介して素子用基板１０４の前記配線パターンに導通接続されている。また、１０６は回路基板１と素子用基板１０４の前記配線パターン同士を電気的に接続するための接続部材であり、その先端側が回路基板１のコネクタ１ａに装着されることにより素子用基板１０４に電力を供給するようにしている。
【００３７】
枠体１１は合成樹脂からなり、箱形形状に成形され、本実施形態の場合、上側枠体１１１と下側枠体１１２とに分割形成されており、上側枠体１１１には表示素子１０１の表示面が臨む開口部１１３が設けられている。
【００３８】
下側枠体１１２は断面略Ｌ字状に成形され、導光体１０３が保持されるとともに、光源１０２の光を効率的に表示素子１０１側に反射させるための反射板としての機能を有している。
【００３９】
また本実施形態にあっては、表示板５の挿通孔部５４の周縁箇所が指針用光源６からの照明光によって薄明るく照らし出されることを防ぐために、表示板５の挿通孔部５４の周縁箇所に遮光性の合成樹脂材料からなる略平板形状の調光部材１３が配置されている。
【００４０】
調光部材１３は、表示板５の挿通孔部５４の周縁箇所を覆う平板状のフランジ部１３１と、表示板５の挿通孔部５４に挿入される筒状部１３２と、この筒状部１３２の下端部にケース体８側に係合する弾性を有する係合爪からなる係合部１３３と、指針４側と対向するフランジ部１３１の表面部分に挿通孔部５４から指針４側へと導かれた照明光を表示ユニット９の周縁箇所から漏れないように導き案内するための光矯正反射部１３４と、を有している。
【００４１】
光矯正反射部１３４は、指針軸２を基点として同心円状の反射面１３４ａによって形成されている。この際、反射面１３４ａとして指針軸２の回転中心を取り巻く同心円状の鋸歯突部によって形成されているため、反射面１３４ａの高さを低く設定することができる。
【００４２】
本実施形態にあっては、調光部材１３を表示板５を介してケース体７に係合部１３３によって係合固定すると同時に、指針４の周辺部に位置する表示板５の挿通孔部５４の周縁箇所が浮き上がることなく保持される。
【００４３】
このように構成された第１の実施形態における指示計器では、指針４を照明するための指針用光源６からの照明光が表示板５の挿通孔部５４を介して表示板５上へと導かれ、指針４の受光部４４から指針基部４２に設けられた反射面部４５を介して指針４の指示部となる指針本体４１へと導光案内され、指針本体４１の指示部側が光輝する。これと同時に、指針４の回動中心領域に導かれた照明光の一部が指針４の回動中心領域である指針基部４５の底面箇所にて反射して表示板５の挿通孔部５４の周縁箇所である表面上に照射したとしても挿入孔部５４の周縁に配置された略平板状からなる調光部材１３のフランジ部１３１に設けられた光矯正反射部１３４によって表示ユニット９の背面側に矯正的に反射光が導かれるため表示ユニット９の外周から洩れ出ることがなく、これにより視線方向への反射光を未然に防ぐことができ、指針４を明るく照明することができるとともに、指針４回りの表示板５上が薄明るく光ってしまうという問題を未然に解決することができる。
【００４４】
この際、光矯正反射部１３４は、指針軸２を基点として同心円状の鋸歯状突部からなる反射面１３４ａによって形成することにより、調光部材１３の表面（フランジ部１３１の表面）に設けられた同心円状の鋸歯状突部からなる反射面１３４ａによって指針４の外周方向（表示板５の外周方向）へと広がることなく指針４の真上方向（中心方向）へと矯正されて反射導光される。このように指針４の真上方向に矯正されて案内されるため、表示ユニット９の外周から洩れ出ることが抑えられ表示ユニット９の背面部分に向けて照明光を矯正案内することができる。
【００４５】
図４は、本発明の第２の実施形態を示す要部拡大断面図であり、前述した第１の実施形態と同一部分、均等箇所については同一符号を付して説明する。
【００４６】
この第２の実施形態にあっては、回路基板１と、この回路基板１の配線パターンに導通装着され指針軸２が前方に延びる計器本体３と、指針軸２にて回転駆動される発光式の指針４と、この指針４の背後に配置される表示板５と、指針４を照明する指針用光源６と、表示板５に設けられた後述する目盛や文字，数字，記号などの指標部を透過照明する表示用光源７と、回路基板１と表示板５との間に配置されるケース体８とによってアナログ式指示計器が構成されている。また、指針４の回動中心領域の前面側にて見返しパネルからなる枠体１１ａによって表示ユニット部９ａを構成している。
【００４７】
また、指針４と指針用光源６との間には指針用導光部材２０が配設されるとともに、表示板５と表示用光源７との間に表示用導光部材２１が配設されている。本実施形態にあっては、指針用導光部材２０と表示用導光部材２１とが連結部材２２を介して一体的に繋がるように設けられている。
【００４８】
また本実施形態にあっては、表示板５の挿通孔部５４の周縁箇所が指針用光源６からの照明光によって薄明るく照らし出されることを防ぐために、表示板５の挿通孔部５４の周縁箇所に遮光性の合成樹脂材料からなる略平板形状の調光部材３０が配置されている。
【００４９】
調光部材３０には、表示板５の挿通孔部５４の周縁箇所を覆う平板状のフランジ部３１が設けられるとともに、表示板５の挿通孔部５４に挿入される筒状部３２が設けられ、この筒状部３２の下端部に指針用導光部材２０の外周面部分に設けられた係止部２０ａと係合する弾性を有する係合爪からなる係合部３３が設けられている。また、調光部材３０には、指針４の背面側と対向するフランジ部３１の表面部分に挿通孔部５４から指針４側へと導かれた照明光を見返しパネルからなる枠体１１ａの周縁箇所から漏れないように導き案内するための光矯正反射部３４が設けられるともに、調光部材３０の指針４との対向する面に、指針４の回動中心領域を覆う遮蔽部材４３の内側に位置してリング状壁部３５が一体に突設されている。
【００５０】
また調光部材３０のフランジ部３１の表面に設けられた光矯正反射部３４は、指針軸２を基点として同心円状の反射面３４ａによって形成されている。この際、反射面３４ａは指針軸２の回転中心を取り巻く同心円状の鋸歯突部によって形成されているため、反射面３４ａの高さを低く設定することができるように設けられている。
【００５１】
指針４は、前述した第１の実施形態とほぼ同様にして、透光性合成樹脂からなる指示部を有する指針本体４１と、この指針本体４１の回転中心部である指針基部４２の外周を覆う遮光性合成樹脂からなる遮蔽部材４３とを備えており、指針本体４１の指示部先端側が表示ユニット部９ａである見返しパネルとなる枠体１１ａから露出するように設けられている。この指針本体４１の指針基部４２には、背後に配置された指針用光源６から発せられる照明光を指針用導光部材２０を介して受光する受光部４４が形成されるとともに、その受光部４４を介して導光された照明光を指針本体４１の指示部側へと反射導光する反射面部４５が形成され、さらに指針４の回動中心領域である指針基部４２の背面側、すなわち調光部材３０に設けられた光矯正反射部３４と対向する受光部４４以外の指針４の回動中心領域である指針基部４２の背面側に他の光矯正反射部４６が設けられている。
【００５２】
この場合、指針４に設けられた他の光矯正反射部４６は、指針軸３を基点として同心円状の反射面４６ａによって形成されているものであり、この反射面４６ａとして指針軸３の回転中心を取り巻くように同心円状の鋸歯突部によって形成されている。
【００５３】
このように構成された第２の実施形態における指示計器では、指針４を照明するための指針用光源６からの照明光が指針用導光部材２０へと入光し、この指針用導光部材２０を介して指針４の受光部４４から指針４の反射面部４５を介して指針本体４１の指示部側へと導光案内され、指針４の指示部材４１が光輝する。これと同時に、指針４の回動中心領域に導かれた照明光の一部が指針４の回動中心領域の底面箇所に設けられた同心円状の鋸歯突部によって形成された反射面４６ａにて反射し、表示板５の挿通孔部５４の周縁箇所である表面上が照らされる。
【００５４】
この際、表示板５の挿通孔部５４の周縁箇所には略平板状からなる調光部材３０のフランジ部３１が配設されているため、フランジ部３１に設けられた光矯正反射部３４によって表示ユニット部９ａの背面側に矯正的に反射光が導かれるために枠体１１ａの外周から光が洩れ出ることがなく、これにより視線方向への反射光を未然に防ぐことができ、指針４を明るく照明することができるとともに、指針４回りの表示板５上が薄明るく光ってしまうという問題を未然に解決することができる。
【００５５】
この際、光矯正反射部３４は、指針軸２を基点として同心円状の鋸歯状突部からなる反射面３４ａによって形成することにより、調光部材３１の表面（フランジ部３１の表面）に設けられた同心円状の鋸歯状突部からなる反射面３４ａによって指針４の外周方向（表示板５の外周方向）へと広がることなく指針４の真上方向（中心方向）へと矯正されて反射導光されることによって表示ユニット部９ａである見返しパネルとなる枠体１１ａの外周から洩れ出ることが抑えられ枠体１１ａの背面部分に向けて照明光を矯正案内することができる。
【００５６】
また、指針４の回動中心領域の背面側の受光部４４を除く箇所には、すなわち調光部材３０に設けられた光矯正反射部３４と対向する指針４の回動中心領域である指針基部４２の背面側に設けられた他の光矯正反射部４６には、指針軸２を基点として同心円状の鋸歯突部によって形成された反射面４６ａにより表示板５の外周方向へと広がることなく調光部材３０側へと導くことができ、表示ユニット部９ａの背面部分に向けて照明光を矯正案内することができ、これにより視線方向への反射光を未然に防ぐことができる。
【００５７】
また、調光部材３０の指針４との対向する面に、指針４の回動中心領域を覆う遮蔽部材４３の内側に位置してリング状壁部３５が一体に突設されているため、指針４の回動中心領域に導かれた照明光の一部が表示板５の外周方向へと照明光が回折しようとしてもリング状壁部３５によってその一部が遮断され表示板５の挿通孔部５４の周縁箇所である表示板５の表面上に照射することを抑制することができ、これにより視線方向への反射光をさらに抑えることができる。
【００５８】
なお、前述した第１および第２の実施形態にあっては、たとえば表示板５上に配設される調光部材１３，３０のフランジ部１３１，３１の大きさやフランジ部１３１，３１の表面上に設けた同心円状の鋸歯突部によって形成された光矯正反射部１３４，３４の反射面１３４ａ，３４ａの傾斜角度や数などは適宜設定すればよいものである。
【産業上の利用可能性】
【００５９】
また、前述した実施形態においては、その適用例として車両用計器やオートバイなどの指示計器を例にして説明したが、車両用の指示計器に限らず船舶用の指示計器あるいは農業用機械や建設機械などの特殊車両の指示計器などにおいても適用することが可能である。
【符号の説明】
【００６０】
１    回路基板
１ａ    コネクタ
２    指針軸
３    計器本体
４    指針
５    表示板
６    指針用光源
７    表示用光源
８    ケース体
９    表示ユニット
９ａ    表示ユニット部
１０    内器部品
１１，１１ａ    枠体
１３    調光部材
２０    指針用導光部材
２０ａ    係止部
２１    表示用導光部材
２２    連結部
３０    調光部材
３１    フランジ部
３２    筒状部
３３    係合部
３４    光矯正反射部
３４ａ    反射面
３５    リング状壁部
４１    指示部材
４２    指針基部
４３    遮蔽部材
４４    受光部
４５    反射面部
４６    他の光矯正反射部
４６ａ    反射面
５１    指標部
５２    背景部
５３    基材
５４    挿通孔部
８１    仕切り壁
１０１    表示素子
１０１ａ    表示セグメント
１０２    光源
１０３    導光体
１０４    素子用基板
１０４ａ    コネクタ
１０５    フレキシブルプリント基板
１０６    接続部材
１１１    上側枠体
１１２    下側枠体
１１３    開口部
１３１    フランジ部
１３２    筒状部
１３３    係合部
１３４    光矯正反射部
１３４ａ    反射面
【図１】
2010164520.tif 000003
【図２】
2010164520.tif 000004
【図３】
2010164520.tif 000005
【図４】
2010164520.tif 000006